(57)【特許請求の範囲】
【請求項１】
基板上に一定の間隔で対向状態に立設されると共に長孔が形成されている一対の縦支持板と、
中央に上方向への弧状部が形成されており両端部に屈曲部を有する上側の固定金具と、下方向への弧状部が形成されており両端部に屈曲部を有する下側の固定金具と、
該両固定金具の屈曲部に形成されているボルト孔と縦支持板に形成されている長孔に挿通されるボルト・ナットと
で構成されることを特徴とする配管用スライド金具。
【請求項２】
基板上に一定の間隔で対向状態に立設されると共に長孔が形成されている一対の縦支持板と、
両端部に屈曲部を有し中央に弧状部分を持たない上側の固定金具と、下方向への弧状部が形成されており両端部に屈曲部を有する下側の固定金具と、
該両固定金具の屈曲部に形成されているボルト孔と縦支持板に形成されている長孔に挿通されるボルト・ナットと
で構成されることを特徴とする配管用スライド金具。
【請求項３】
基板上に一定の間隔で対向状態に立設されると共に長孔が形成されている一対の縦支持板と、
中央に上方向への弧状部が形成されており両端部に屈曲部を有する上側の固定金具と、両端部に屈曲部を有し中央に弧状部分を持たない下側の固定金具と、
該両固定金具の屈曲部に形成されているボルト孔と縦支持板に形成されている長孔に挿通されるボルト・ナットと
で構成されることを特徴とする配管用スライド金具。
【請求項４】
上下の固定金具の屈曲部に形成されるボルト孔の内、少なくとも上側又は下側の固定金具の一方の側のボルト孔が長孔であることを特徴とする請求項１〜３のいずれかに記載の配管用スライド金具。
【請求項５】
基板上に一定の間隔で対向状態に立設されると共に長孔が形成されている一対の縦支持板と、
下方向への弧状部が形成されており両端部に屈曲部を有する下側の固定金具と、中央に上方向への弧状部が形成されており前記下側の固定金具にビスやボルト・ナット等の固着手段で固定する上側の固定金具と、
前記下側の固定金具の屈曲部に形成されているボルト孔と縦支持板に形成されている長孔に挿通されるボルト・ナットと
で構成されることを特徴とする配管用スライド金具。
【発明の詳細な説明】
【０００１】
【発明の属する技術分野】
本発明は、床面の所定の高さに配管を支持・固定するのに利用される配管用スライド金具に関する。
【０００２】
【従来の技術】
従来、床面の所定の高さに配管を支持・固定する技術としては、例えば実公昭５５−５４１３１号公報等に記載されているように、基板上に一定の間隔をもって一対の全ネジボルトを立設し、このボルト間に、中央に環状部が形成されている配管固定用部材を配置し、この配管固定用部材の両端を、全ネジボルトに配置されているそれぞれ一対のナットで固定するすることが行われている。このような配管用金具では配管の高さを調節するのに、全ネジボルトに配置されている一対のナットのそれぞれを回転させて所定の高さに移動させなければならないので、作業が非常に煩雑である。
【０００３】
本願の発明者は、上記した作業の煩雑さを解消することを目的として、先に、全ネジボルト及びこれに配置するナット対を利用せず、配管固定用部材の両端側を一対に立設された溝型支持部に沿ってスライドさせ、所定位置でボルト・ナットの締め込みだけで配管を所定の高さに固定することができる、使い勝手のよい配管のスライド金具を実公昭６３−２３６６９号で提案した。
【０００４】
【発明が解決しようとする課題】
上記公報で提案した配管のスライド金具は、使い勝手がよいことから大いに普及するものであったが、製造コストの点や、更なる使い勝手の改善の点で再考さるべき点があることに思い至った。
【０００５】
上記から明らかなように、本発明は、配管用スライド金具における製造コストの低減、更なる使い勝手の改善を課題とするものである。
【０００６】
【課題を解決するための手段】
本発明に係る配管用スライド金具は、
１．基板上に一定の間隔で対向状態に立設されると共に長孔が形成されている一対の縦支持板と、
中央に上方向への弧状部が形成されており両端部に屈曲部を有する上側の固定金具と、下方向への弧状部が形成されており両端部に屈曲部を有する下側の固定金具と、
該両固定金具の屈曲部に形成されているボルト孔と縦支持板に形成されている長孔に挿通されるボルト・ナットと
で構成されること、
２．基板上に一定の間隔で対向状態に立設されると共に長孔が形成されている一対の縦支持板と、
両端部に屈曲部を有し中央に弧状部分を持たない上側の固定金具と、下方向への弧状部が形成されており両端部に屈曲部を有する下側の固定金具と、
該両固定金具の屈曲部に形成されているボルト孔と縦支持板に形成されている長孔に挿通されるボルト・ナットと
で構成されること、
３．基板上に一定の間隔で対向状態に立設されると共に長孔が形成されている一対の縦支持板と、
中央に上方向への弧状部が形成されており両端部に屈曲部を有する上側の固定金具と、両端部に屈曲部を有し中央に弧状部分を持たない下側の固定金具と、
該両固定金具の屈曲部に形成されているボルト孔と縦支持板に形成されている長孔に挿通されるボルト・ナットと
で構成されること、
４．上下の固定金具の屈曲部に形成されるボルト孔の内、少なくとも上側又は下側の固定金具の一方の側のボルト孔が長孔であること、
５．基板上に一定の間隔で対向状態に立設されると共に長孔が形成されている一対の縦支持板と、
下方向への弧状部が形成されており両端部に屈曲部を有する下側の固定金具と、中央に上方向への弧状部が形成されており前記下側の固定金具にビスやボルト・ナット等の固着手段で固定する上側の固定金具と、
前記下側の固定金具の屈曲部に形成されているボルト孔と縦支持板に形成されている長孔に挿通されるボルト・ナットと
で構成されること、
をそれぞれ特徴とする。
【０００７】
【発明の実施の形態】
本願発明に係る配管用スライド金具の実施例を添付の図面に従って詳細に説明する。
【０００８】
図１において、基板１０には両端に透孔１１が用意されており、更に一定の間隔で一対の縦支持板１２が立設されている。透孔１１を通してコンクリート釘等を利用して床面等に固定が行われる。縦支持板１２には長孔１３が設けられており、また、この長孔１３には目盛り表示１４が行われている。
【０００９】
尚、基板１０と縦支持板１２との取り付け構造・手段は自由に設定することができ図１の構成に限定されず、例えば、図４のＡに示す如く、１枚の短冊状の金属板をコ字状に折り曲げて、基板１０と縦支持板１２とを一体に形成するように構成してもよい。この場合、透孔１１は縦支持板１２近傍の基板１０に設けられる。
【００１０】
固定金具２０・２１は中央部位に弧状部２２・２３を有しており、端部には屈曲部２４・２５が形成されている。弧状部２２・２３の組合せにより環状部が形成され、この環状部によって配管の固定が行われる。
【００１１】
固定金具２０・２１のそれぞれの屈曲部２４・２５にはボルト孔２６・２７が用意されており、ボルト孔２６・２７の少なくとも一方は円孔でなく長孔に形成されている。このように構成することで、弧状部２２・２３で形成される環状部の大きさを調整することが可能となる。
【００１２】
固定金具２０・２１の屈曲部２４・２５のボルト孔２６・２７と縦支持板１２の長孔１３との間にはそれぞれボルト３０が挿通されナット３１を緊締することにより固定金具２０・２１を任意の高さに固定することが可能となっている。
【００１３】
ボルト３０及びナット３１の形状・構成は任意であるが、例えば、ボルト３０の頭を固定金具２０の屈曲部２４に対して自由回動ができないように固定しておき、ナット３１を羽根付きナットとすれば、何ら工具を必要とせずに緊締することが可能となり、使い勝手が更に良好となる。
【００１４】
尚、基板１０、縦支持板１２、固定金具２０・２１等の部材は、金属板で形成するが、合成樹脂材で形成することも可能である。
【００１５】
図２に示すように、本発明に係る配管用スライド金具を利用すれば、単に配管高さを自由に設定することができるだけでなく、略水平の床面等に対して配管を傾斜して取り付ける際に有利な機能を発揮する。即ち、本発明に係る配管用スライド金具では、固定金具２０・２１は２つの部材で構成されており、その屈曲部２４・２５に形成されているボルト孔２６・２７の少なくとも一方は長孔に形成されているから、２つの弧状部２２・２３で構成される環状部の大きさを調整することが可能であるし、更に、屈曲部２４・２５のボルト孔２６・２７に挿通されるボルト３０を中心にして時計方向ないし反時計方向に自在に回動することが可能である。従って、床面等に対して任意の角度で傾斜した状態に配管を固定することが可能である。前記した従来の配管金具では、支持金具などを強引に折り曲げるなどしないと、配管を傾斜状態に固定することはできないので、この点においても本発明に係る配管用スライド金具の優れた利便性が認められる。
【００１６】
図３のＡ及びＢに示すように、固定金具２０・２１は、下側の固定金具２１だけに弧状部分２３を設け、上側の固定金具２０は弧状部分を持たない略水平状態とする構成も採用できるし、逆に、上側の固定金具２０だけに弧状部分２２を設け、下側の固定金具２１は弧状部分を持たない略水平状態とする構成も採用できる。
【００１７】
図３のＣに示す如く、固定金具２０・２１の両者をボルト・ナットで縦支持板１２に固定するのでなく、例えば、下側の固定金具２１だけを縦支持板１２に固定し、上側の固定金具２０はビスやボルト・ナット等の固着手段で下側の固定金具２１に固定するように構成することも本発明に包含される。
【００１８】
更に、固定金具２０・２１の弧状部分２２・２３には補強用のリブを形成するように構成することも好ましい態様である。
【００１９】
図４のＢに示す如く、縦支持板１２に用意する長孔１３は、滑らかな長孔でなく、段部を設けてボルト３０を係止することができるようにした構成も本発明に包含される。
【００２０】
【発明の効果】
本発明に係る配管用スライド金具によれば、ボルト３０とナット３１の緊締により自在に配管の取り付け高さの調整を行うことができるだけでなく、弧状部２３・２４で形成される環状部の大きさを調整することができるので、径を異にする配管にも対応でき、更に、床面等に対して配管を傾斜状態に固定することができるので、従来品に比較して非常に使い勝手がよく、また、前記した実公昭６３−２３６６９号公報に記載されている従来製品と比較しても、製造コストを大幅に低減させることが可能であり、従って頭記した課題が解決される。
【図面の簡単な説明】
【図１】本発明の１実施例を示す斜視図
【図２】利用の１態様を示す側面図
【図３】固定金具の他の実施例を示す正面図
【図４】基板と縦支持板の他の実施例を示す概略図
【符号の説明】
１０−基板
１１−透孔
１２−縦支持板
１３−長孔
１４−目盛り表示
２０−固定金具
２１−固定金具
２２−弧状部
２３−弧状部
２４−屈曲部
２５−屈曲部
２６−ボルト孔
２７−ボルト孔
３０−ボルト
３１−ナット
【図１】
0003805430.tif 000002
【図２】
0003805430.tif 000003
【図３】
0003805430.tif 000004
【図４】
0003805430.tif 000005